(57)【要約】【課題】生体情報検出装置を確実に保持できるとともに、製品寿命が縮まるのを抑制し、生産性の向上および低コスト化を図ることができる衣類を提供する。【解決手段】衣類１００Ａは、衣類本体１０１と、衣類本体１０１に設けられ、装置本体２０と生体表面に接触する電極２６Ａ，２６Ｂとを有する心拍検出装置１０を着脱可能に保持する装置収納部１２０と、を備え、装置収納部１２０は、電極２６Ａ，２６Ｂを生体表面側に向けて露出させた状態で、装置本体２０の一部を保持する。装置収納部１２０は、伸長状態で装置本体２０を収納する。【選択図】図１
2015083728.tif 000002
【特許請求の範囲】
【請求項１】
装置本体および生体表面に接触する電極部を有する生体情報検出装置が衣類本体に着脱可能に構成される衣類であって、
前記電極部を生体表面側に向けて露出させた状態で、前記装置本体を収納する装置収納部を有していることを特徴とする衣類。
【請求項２】
前記装置収納部は、伸縮性を有する素材により形成され、伸長状態で前記装置本体を収納することを特徴とすることを特徴とする請求項１に記載の衣類。
【請求項３】
前記装置収納部は、前記衣類本体の面方向のうち、第一方向に沿って配列されて収納部群を構成していることを特徴とする請求項１または請求項２に記載の衣類。
【請求項４】
前記収納部群は、前記衣類本体の面方向のうち、前記第一方向に直交する第二方向に複数配列され、
前記第一方向において、一の前記収納部群における前記装置収納部の間に、一の前記収納部群に隣接する他の前記収納部群の前記装置収納部が位置していることを特徴とする請求項３に記載の衣類。
【請求項５】
複数の前記収納部群における前記装置収納部の間を架け渡すように、複数の前記装置収納部に前記装置本体が収納されることを特徴とする請求項４に記載の衣類。
【請求項６】
前記衣類本体は、身体の上半身に着用され、
前記装置収納部は、上下方向に沿って複数配列され、
前記装置収納部は、一の列に配列された前記装置収納部と、他の列に配列された前記装置収納部との離間距離が、前記衣類本体の上方から下方に向かうにしたがい、漸次小さくなることを特徴とする請求項１から５のいずれか１項に記載の衣類。
【請求項７】
前記装置収納部が複数連結され、
複数の前記装置収納部のうち、一端側に位置する前記装置収納部は、前記衣類本体に固定され、他端側に位置する前記装置収納部は、一端側に位置する前記装置収納部を起点に回動可能に構成されていることを特徴とする請求項１から請求項６のいずれか１項に記載の衣類。
【請求項８】
前記装置収納部は、前記衣類本体の表面側に設けられ、
前記衣類本体は、前記装置収納部の外側に前記電極部を前記衣類本体の裏面側に引き出すスリットを有していることを特徴とする請求項１から請求項７のいずれか１項に記載の衣類。
【発明の詳細な説明】
【技術分野】
【０００１】
この発明は、生体情報検出装置の使用者が着用する衣類に関する。
【背景技術】
【０００２】
身体の生体表面にセンサ電極を取り付け、生体信号を検出する生体情報検出装置が存在する。この種の生体情報検出装置の中には、例えば、心臓の鼓動に伴って発生する心電信号をセンサ電極によって検出し、生体表面から心拍数を計測するものがある。このような生体情報検出装置は、例えば、センサ電極と、センサ電極で検出した心電信号を外部に送信する装置本体（送信部）とを備えたものがある。そして、装置本体から送信された信号を受信した別体の受信ユニットにおいて、心拍数が計測される。
【０００３】
センサ電極および装置本体は、ゴム等の伸縮性を有した環状のバンドを用いて使用者の身体に装着される。使用者は、環状のバンドを身体の周囲に沿わせてセンサ電極および装置本体を装着する。これにより、センサ電極が生体表面に押し付けられて密着し、心電信号を検出できる。
ところで、センサ電極は、心電信号を確実に検出するため、使用中、身体に対し、心電信号の検出に適した所定の位置に保持されている必要がある。このため、運動中等においても、センサ電極がずれないよう、バンドによる締め付け力を調整する。しかし、その結果、バンドによる締め付け力がきつく、使用者が圧迫感を受けることがある。
【０００４】
そこで、例えば特許文献１には、センサ電極を備えたバンドを、衣類に一体に取り付けた構成が開示されている。
また、例えば特許文献２には、導電糸を用いることによって、センサ電極が衣類の一部として編み込まれた構成が開示されている。
特許文献１および２のように、センサ電極を衣類に一体に備えることにより、使用者が衣類を身体に着用することによって、センサ電極の身体に対する位置が大きくずれることがないとされている。
【先行技術文献】
【特許文献】
【０００５】
【特許文献１】特許第４７２１７００号公報
【特許文献２】特許第５１７６２０２号公報
【発明の概要】
【発明が解決しようとする課題】
【０００６】
しかしながら、特許文献１および２に開示されたような構成にあっては、衣類にセンサ電極が一体で備えられているため、衣類の洗濯等によりセンサ電極が劣化しやすい。したがって、製品寿命の向上という点で改善の余地がある。
また、センサ電極を編み込み等によって衣類に取り付けるため、生産性の低下や製造コストの増加に繋がるという課題がある。
【０００７】
そこで、本発明は、上記事情に鑑みたものであって、生体情報検出装置を確実に保持できるとともに、製品寿命が縮まるのを抑制し、生産性の向上および低コスト化を図ることができる衣類を提供することを目的とする。
【課題を解決するための手段】
【０００８】
上記の課題を解決するため、本発明の衣類は、装置本体および生体表面に接触する電極部を有する生体情報検出装置が衣類本体に着脱可能に構成される衣類であって、前記電極部を生体表面側に向けて露出させた状態で、前記装置本体を収納する装置収納部を有していることを特徴している。
【０００９】
本発明によれば、装置本体の少なくとも一部が装置収納部によって保持され、電極部は、生体表面に向けて露出させた状態とされる。したがって、このような衣類を使用者が着用することで、電極部を生体表面に接触させた状態で生体情報検出装置を保持することができる。
また、装置収納部に対して生体情報検出装置が着脱可能であるので、衣類本体を洗濯する際には、生体情報検出装置を衣類本体から取り外すことができる。これにより、衣類本体のみを洗濯することができるので、衣類本体の交換を自由に行うことができ、生体情報検出装置（例えば電極部等）が洗濯によって劣化することもない。また、装置収納部を設けるだけで、生体情報検出装置を保持することができるので、生産性の向上および低コスト化を図ることができる。したがって、製品寿命が縮まるのを抑制し、生産性の向上および低コスト化を図ることができる。
【００１０】
また、前記装置収納部は、伸縮性を有する素材により形成され、伸長状態で前記装置本体を収納することを特徴としている。
【００１１】
本発明によれば、装置収納部の伸縮性により装置本体を保持することができる。
【００１２】
また、前記装置収納部は、前記衣類本体の面方向のうち、第一方向に沿って配列されて収納部群を構成していることを特徴としている。
【００１３】
本発明によれば、装置本体を保持する装置収納部を、配列された収納部群の中から選択することができる。したがって、装置本体の位置を衣類本体の第一方向に沿って調整することができるので、使用者の身体に合わせて装置本体を装着することができる。その結果、装置本体を適切な位置に装着して、所用の機能を発揮させることができる。また、使用者は、違和感のない位置に装置本体を装着することができる。
【００１４】
また、前記収納部群は、前記衣類本体の面方向のうち、前記第一方向に直交する第二方向に複数配列され、前記第一方向において、一の前記収納部群における前記装置収納部の間に、一の前記収納部群に隣接する他の前記収納部群の前記装置収納部が位置していることを特徴としている。
【００１５】
本発明によれば、第二方向に複数配列された装置収納部によって、装置本体を確実に保持することができる。また、一の収納部群に隣接する他の収納部群の装置収納部に装置本体を保持させることにより、第一方向において、一の収納部群における装置収納部の間に装置本体を保持させることができる。したがって、所望の位置に装置本体を保持させることができる。
【００１６】
また、複数の前記収納部群における前記装置収納部の間を架け渡すように、複数の前記装置収納部に前記装置本体が収納されることを特徴としている。
【００１７】
本発明によれば、複数の装置収納部によって装置本体を確実に保持することができる。
【００１８】
また、前記衣類本体は、身体の上半身に着用され、前記装置収納部は、上下方向に沿って複数配列され、前記装置収納部は、一の列に配列された前記装置収納部と、他の列に配列された前記装置収納部との離間距離が、前記衣類本体の上方から下方に向かうにしたがい、漸次小さくなることを特徴としている。
【００１９】
本発明によれば、衣類を着用した使用者の動きによって、衣類の下部が開くように変形した場合にも、装置本体が装置収納部から脱落するのを防ぐことができる。
【００２０】
また、前記装置収納部が複数連結され、複数の前記装置収納部のうち、一端側に位置する前記装置収納部は、前記衣類本体に固定され、他端側に位置する前記装置収納部は、一端側に位置する前記装置収納部を起点に回動可能に構成されていることを特徴としている。
【００２１】
本発明によれば、複数連設された装置収納部について、一端側を中心として他端側を回動させることにより、装置収納部を、衣類本体に固定された一端部に対して異なる位置に配置させることができる。これにより、装置本体が衣類本体に固定される位置を、より幅広く調整することが可能となる。
【００２２】
また、前記装置収納部は、前記衣類本体の表面側に設けられ、前記衣類本体は、前記装置収納部の外側に前記電極部を前記衣類本体の裏面側に引き出すスリットを有していることを特徴としている。
【００２３】
本発明によれば、装置収納部を衣類の表面に配置した場合であっても、スリットを通して電極部を衣類の裏面に通し、使用者の身体の表面に接触させることが可能となる。
【発明の効果】
【００２４】
本発明によれば、装置本体の少なくとも一部が装置収納部によって保持され、電極部は、生体表面に向けて露出させた状態とされる。したがって、このような衣類を使用者が着用することで、電極部を生体表面に接触させた状態で生体情報検出装置を保持することができる。
また、装置収納部に対して生体情報検出装置が着脱可能であるので、衣類本体を洗濯する際には、生体情報検出装置を衣類本体から取り外すことができる。これにより、衣類本体のみを洗濯することができるので、衣類本体の交換を自由に行うことができ、生体情報検出装置（例えば電極部等）が洗濯によって劣化することもない。また、装置収納部を設けるだけで、生体情報検出装置を保持することができるので、生産性の向上および低コスト化を図ることができる。したがって、製品寿命が縮まるのを抑制し、生産性の向上および低コスト化を図ることができる。
【図面の簡単な説明】
【００２５】
【図１】本発明の第一実施形態における衣類を使用者が着用した状態の正面図である。
【図２】衣類を使用者が着用した状態の横断面図である。
【図３】心拍計測装置の斜視図である。
【図４】衣類を裏返した状態の図であって、衣類の装置収納部に心拍計測装置を保持させる前の状態を示す斜視図である。
【図５】図４に示す衣類の装置収納部に心拍計測装置を保持させた状態を示す斜視図である。
【図６】本発明の第二実施形態における衣類の装置収納部に心拍計測装置を保持させる前の状態を示す斜視図である。
【図７】図６の衣類の装置収納部に心拍計測装置を保持させた状態を示す斜視図である。
【図８】本発明の第三実施形態における衣類の装置収納部に心拍計測装置を保持させる前の状態を示す斜視図である。
【図９】図８の衣類の装置収納部に心拍計測装置を保持させた状態を示す斜視図である。
【図１０】本発明の第四実施形態における衣類の装置収納部に心拍計測装置を保持させる前の状態を示す斜視図である。
【図１１】図１０の衣類の装置収納部に心拍計測装置を保持させた状態を示す斜視図である。
【図１２】本発明の第五実施形態における衣類を示す正面図である。
【図１３】図１２の衣類の装置収納部に心拍計測装置を保持させる前の状態を示す斜視図である。
【図１４】図１２の衣類の装置収納部に心拍計測装置を保持させた状態を示す斜視図である。
【図１５】本発明の第六実施形態における衣類の装置収納部を示す側断面図である。
【図１６】図１５の衣類の装置収納部による装置本体の保持位置の複数の例を示す側断面図である。
【図１７】本発明の第七実施形態における衣類の装置収納部に心拍計測装置を保持させる前の状態を示す斜視図である。
【図１８】図１７の衣類の装置収納部に心拍計測装置を保持させた状態を示す斜視図である。
【発明を実施するための形態】
【００２６】
（第一実施形態）
次に、この発明の第一実施形態を図面に基づいて説明する。
図１は、本発明における衣類を使用者が着用した状態の正面図であり、図２は、衣類を使用者が着用した状態の横断面図であり、図３は、心拍計測装置の斜視図である。
図１に示すように、心拍計測装置（請求項の「生体情報検出装置」に相当。）１０は、使用者Ｓが着用する衣類１００Ａに装着されることによって、使用者Ｓの生体表面である胸部に密着して心臓の鼓動に伴って発生する心電信号を検出し、検出した心電信号を無線通信するものである。
図２に示すように、心拍計測装置１０は、装置本体２０と、装置本体２０の両側に一体的に設けられている一対の心拍検出部２２Ａ，２２Ｂと、を備えている。
【００２７】
図３に示すように、装置本体２０は、平面視で長方形状に形成されているケース２１と、このケース２１内に設けられている不図示の検出回路基板と、を備えている。
検出回路基板は、一対の心拍検出部２２Ａ，２２Ｂによって検出された信号に基づいた電気信号を生成する送信回路と、送信回路で生成された電気信号を外部に送出する無線送信部（いずれも不図示）と、を有している。
【００２８】
各心拍検出部２２Ａ，２２Ｂは、それぞれ帯状の導電エラストマーからなる電極（請求項の「電極部」に相当。）２６Ａ，２６Ｂにより構成されている。導電エラストマーとしては、例えば、カーボンブラックを配合した導電シリコンゴムやカーボンブラックを配合した導電ゴム、カーボンブラックを配合した導電ポリウレタンゴム等を用いることができる。
各心拍検出部２２Ａ，２２Ｂは、装置本体２０を挟んで両側に配置されている。各心拍検出部２２Ａ，２２Ｂの電極２６Ａ，２６Ｂは、両電極２６Ａ，２６Ｂ間の電位差を確保するために、所定距離をあけて配置されている（図１の例では、装置本体２０の長手方向に沿って例えば１０ｃｍ程度）。また、電極２６Ａ，２６Ｂは、図示しない配線パターンを通して、ケース２１内で、検出回路基板に電気的に接続されている。これにより、電極２６Ａ，２６Ｂにより検出された信号が検出回路基板に出力されるようになっている。
【００２９】
このような心拍計測装置１０においては、一対の電極２６Ａ，２６Ｂを使用者Ｓの身体の表面（生体表面）に接触させることにより、使用者Ｓの心臓の鼓動に伴って発生する心電信号が検出される。装置本体２０の不図示の検出回路基板は、一対の電極２６Ａ，２６Ｂによって検出された心電信号を無線により外部に出力する。
【００３０】
図４は、衣類を裏返した状態の図であって、衣類の装置収納部に心拍計測装置を保持させる前の状態を示す斜視図であり、図５は、図４に示す衣類の装置収納部に心拍計測装置を保持させた状態を示す斜視図である。
図４および図５に示すように、上記の心拍計測装置１０は、衣類１００Ａに装着されて使用される。
衣類１００Ａは、例えばシャツ等であり、衣類本体１０１と、衣類本体１０１に設けられ、上記心拍計測装置１０を着脱可能に保持する一つの装置収納部１２０と、を備えている。
【００３１】
衣類本体１０１は、上下方向Ｌ（請求項の「第一方向」に相当。）および上下方向Ｌに直交する身幅方向Ｗ（請求項の「第二方向」に相当。）に伸縮性を有する素材から形成されて、適度に身体を包み込むことにより筋肉等をサポートする、いわゆるコンプレッションウェアであるのが好ましい。これにより、心拍計測装置１０を装置収納部１２０に収納した際、心拍検出部２２Ａ，２２Ｂが使用者Ｓの身体の表面に密着し、生体信号の検出を高感度に行うことができる。
【００３２】
装置収納部１２０は、例えば衣類本体１０１と同様の素材により構成された平面視長方形状の布材であり、その対向する長辺部分が衣類本体１０１の裏面１０１ｆ側（使用者Ｓの身体の表面に対向する側）に縫い付けられている。
装置収納部１２０は、使用者Ｓが衣類１００Ａを着用した状態で、使用者Ｓのみぞおち部分Ｍ（図１参照）の近傍に位置する部分であって、かつ長辺部分が衣類本体１０１の身幅方向Ｗに一致するように縫い付けられている。これにより、装置収納部１２０は、衣類本体１０１との間に、身幅方向Ｗに沿う両側に向けて開口する開口部１２１（１２１ａ，１２１ｂ）を有する筒状の収納空間Ｋを画成している。そして、心拍計測装置１０は、心拍検出部２２Ａ，２２Ｂが収納空間Ｋから露出した状態で、装置本体２０が収納空間Ｋ内に収納される。
なお、装置収納部１２０の素材は、衣類本体１０１と別素材であっても構わない。したがって、例えば、ゴム系素材や、ジャージ素材等をはじめとする、面方向に沿って伸縮性を有する素材を用いてもよい。
【００３３】
ここで、図４に示すように、装置収納部１２０の身幅方向Ｗに沿う幅寸法Ｗ１は、装置本体２０の長手方向の寸法Ｗ２の１／２以上になっていることが好ましい。また、装置収納部１２０の幅寸法Ｗ１は、両電極２６Ａ，２６Ｂ間の電位差を確保していれば、装置本体２０の寸法Ｗ２よりも大きくなっていても構わない。
また、装置収納部１２０における開口部１２１の上下方向Ｌに沿う長さは、装置本体２０の短手方向に沿う寸法と同等か、装置本体２０の短手方向に沿う寸法よりも短いことが好ましい。これにより、装置収納部１２０は、伸長状態で装置本体２０を収納することができる。したがって、装置本体２０は、装置収納部１２０内に安定して保持される。
【００３４】
（作用）
次に、衣類１００Ａの使用方法について説明する。
衣類１００Ａに心拍計測装置１０を装着する場合には、まず衣類１００Ａを裏返しにして、装置収納部１２０を外部に露出させる（図４参照）。
次に、装置本体２０の長手方向が身幅方向Ｗに一致するように心拍計測装置１０を位置合わせした状態で、装置収納部１２０内に挿入する。具体的には、装置収納部１２０の他方（図４における右方）の開口部１２１ｂに対して、心拍計測装置１０の心拍検出部２２Ａ，２２Ｂのうち、一方（図４における左方）の心拍検出部２２Ａを挿入することにより、収納空間Ｋ内に心拍計測装置１０を挿入する。
【００３５】
続いて、心拍計測装置１０の心拍検出部２２Ａ，２２Ｂのうち、一方の心拍検出部２２Ａが、装置収納部１２０における一方の開口部１２１ａを通して外部に露出し、他方の心拍検出部２２Ｂが、装置収納部１２０における他方の開口部１２１ｂを通して外部に露出するまで、心拍計測装置１０を装置収納部１２０内に挿入する。これにより、各心拍検出部２２Ａ，２２Ｂが装置収納部１２０の外部に露出した状態で、装置本体２０が装置収納部１２０の収納空間Ｋ内に保持される。
【００３６】
ここで、装置収納部１２０が衣類本体１０１と同素材で形成されているため、装置収納部１２０内に心拍計測装置１０を挿入する際、装置収納部１２０が伸縮変形する。これにより、心拍計測装置１０を装置収納部１２０内にスムーズに挿入できる。また、装置収納部１２０は、伸長状態で心拍計測装置１０を収納するため、収納空間Ｋ内に装置本体２０が確実に保持されるようになっている。
以上により、心拍計測装置１０の衣類本体１０１への装着作業が完了する。
【００３７】
続いて、衣類１００Ａを表に返すことにより、心拍検出部２２Ａ，２２Ｂが衣類１００Ａの内側（すなわち使用者Ｓの身体の表面側）に露出することになる。そして、この状態で使用者Ｓが衣類１００Ａを着用することにより、心拍検出部２２Ａ，２２Ｂの電極２６Ａ，２６Ｂが使用者Ｓの身体の表面に接触するので、使用者Ｓの心電信号を検出できる。
【００３８】
本実施形態によれば、装置本体２０が装置収納部１２０によって保持され、電極２６Ａ，２６Ｂは、使用者Ｓの身体表面に向けて露出させた状態とされる。したがって、このような衣類１００Ａを使用者Ｓが着用することで、電極２６Ａ，２６Ｂを身体表面に接触させた状態で心拍計測装置１０を保持することができる。
また、装置収納部１２０に対して心拍計測装置１０が着脱可能であるので、衣類本体１０１を洗濯する際には、心拍計測装置１０を衣類本体１０１から取り外すことができる。これにより、衣類本体１０１のみを洗濯することができるので、衣類本体１０１の交換を自由に行うことができ、心拍計測装置１０（例えば電極２６Ａ，２６Ｂ等）が洗濯によって劣化することもない。また、装置収納部１２０を設けるだけで、心拍計測装置１０を保持することができるので、生産性の向上および低コスト化を図ることができる。したがって、製品寿命が縮まるのを抑制し、生産性の向上および低コスト化を図ることができる。
また、使用者は、複数枚の衣類本体１０１間で心拍計測装置１０を付け替えることができるので、連日使用する場合であっても、衣類本体１０１のみを複数枚用意すれば良く、使用者にとってのコスト負担を抑えることができる。
【００３９】
また、装置収納部１２０は、伸縮性を有する素材により形成され、装置収納部１２０は、伸長状態で装置本体２０を収納するので、装置収納部１２０の伸縮性により装置本体２０を確実に保持することができる。
【００４０】
また、装置収納部１２０は、衣類本体１０１に縫い付けられて、装置収納部１２０と衣類本体１０１の表面との間に筒状の収納空間Ｋが形成されるので、この収納空間Ｋで装置本体２０を保持することができる。
【００４１】
（各実施形態）
続いて、本発明にかかる衣類の各実施形態について説明する。
第一実施形態では、衣類１００Ａの衣類本体１０１に、心拍計測装置１０を着脱可能に保持する一つの装置収納部１２０が設けられていた。これに対して、第二から第七の各実施形態に示すように、装置収納部の個数や形態等は、第一実施形態に限定されることはなく、種々変更が可能である。なお、以下に説明する各実施形態において、第一実施形態と共通する構成については図中に同符号を付してその説明を省略する。
（第二実施形態）
図６は、本発明の第二実施形態における衣類の装置収納部に心拍計測装置を保持させる前の状態を示す斜視図である。図７は、図６の衣類の装置収納部に心拍計測装置を保持させた状態を示す斜視図である。
図６および図７に示すように、衣類１００Ｂは、衣類本体１０１と、衣類本体１０１に設けられ、上記心拍計測装置１０を着脱可能に保持する装置収納部１２２と、を備えている。
【００４２】
装置収納部１２２は、衣類本体１０１の上下方向Ｌに沿って複数（本実施形態では三つ）配列されて収納部群Ｘを構成している。
各装置収納部１２２は、一枚の布材を上下方向に間隔をあけて衣類本体１０１に縫い付けることで、各縫製部分間を各装置収納部１２２としてまとめて構成してもよく、分割された装置収納部１２２ごとに布材を縫い付けて各装置収納部１２２として構成しても構わない。そして、装置収納部１２２と衣類本体１０１の裏面１０１ｆとの間に形成された複数の収納空間Ｋに、それぞれ装置本体２０が収納可能となっている。
使用者Ｓは、複数の装置収納部１２２の中から、自らの身体に適した装置収納部１２２を選択する。そして、選択した装置収納部１２２と衣類本体１０１の裏面１０１ｆとの間に形成された収納空間Ｋに、装置本体２０を収納する。
【００４３】
本実施形態によれば、装置本体２０を保持する装置収納部１２２を、収納部群Ｘの中から選択することができる。したがって、装置本体２０の位置を衣類本体１０１の上下方向Ｌに沿って調整することができるので、使用者Ｓの身体に合わせて装置本体２０を装着することができる。その結果、装置本体２０を適切な位置に装着して、所用の機能を発揮させることができる。また、使用者Ｓは、違和感のない位置に装置本体２０を装着することができる。
【００４４】
（第三実施形態）
図８は、本発明の第三実施形態における衣類の装置収納部に心拍計測装置を保持させる前の状態を示す斜視図である。図９は、図８の衣類の装置収納部に心拍計測装置を保持させた状態を示す斜視図である。
図８および図９に示すように、衣類１００Ｃは、衣類本体１０１と、衣類本体１０１に設けられ、上記心拍計測装置１０を着脱可能に保持する装置収納部１２３と、を備えている。
【００４５】
本実施形態では、装置収納部１２３が上下方向Ｌに沿って複数配列されて収納部群（第一収納部群Ｘ１〜第三収納部群Ｘ３）を構成し、衣類本体１０１の身幅方向Ｗに複数列並んでいる。具体的に、身幅方向Ｗに沿う両側に位置する第一収納部群Ｘ１および第三収納部群Ｘ３は、装置収納部１２３が上下方向Ｌに沿って三つ配列されて構成されている。第一収納部群Ｘ１および第三収納部群Ｘ３は、対応する各装置収納部１２３同士が上下方向Ｌに沿って同じ高さに位置している。
また、第一収納部群Ｘ１および第三収納部群Ｘ３間に位置する第二収納部群Ｘ２は、装置収納部１２３が上下方向Ｌに沿って二つ配列されて構成されている。第二収納部群Ｘ２の各装置収納部１２３は、上下方向に沿う位置が第一収納部群Ｘ１および第三収納部群Ｘ３の各装置収納部１２３と互いに異なっている。図示の例において、第二収納部群Ｘ２の各装置収納部１２３は、第一収納部群Ｘ１および第三収納部群Ｘ３の各装置収納部１２３間に位置している。
【００４６】
本実施形態によれば、身幅方向Ｗに複数配列された複数の装置収納部１２３によって、装置本体２０を確実に保持することができる。また、第一収納部群Ｘ１および第三収納部群Ｘ３間に位置する第二収納部群Ｘ２の装置収納部１２３に装置本体２０を保持させることにより、上下方向Ｌにおいて、第一収納部群Ｘ１および第三収納部群Ｘ３における装置収納部１２３の間に装置本体２０を保持させることができる。したがって、所望の位置に装置本体２０を保持させることができる。
【００４７】
（第四実施形態）
図１０は、本発明の第四実施形態における衣類の装置収納部に心拍計測装置を保持させる前の状態を示す斜視図である。図１１は、図１０の衣類の装置収納部に心拍計測装置を保持させた状態を示す斜視図である。
図１０および図１１に示すように、衣類１００Ｄは、例えばシャツである衣類本体１０１と、衣類本体１０１に設けられ、上記心拍計測装置１０を着脱可能に保持する装置収納部１２４と、を備えている。
【００４８】
装置収納部１２４は、衣類本体１０１の身幅方向Ｗに複数列並んでいる。具体的に、各収納部群（第一収納部群Ｘ１〜第五収納部群Ｘ５）のうち、身幅方向Ｗに沿う両側に位置する第一収納部群Ｘ１および第五収納部群Ｘ５は、装置収納部１２４が上下方向Ｌに沿って三つ配列され、第一収納部群Ｘ１および第五収納部群Ｘ５にそれぞれ隣接する第二収納部群Ｘ２および第四収納部群Ｘ４は、装置収納部１２４が上下方向Ｌに沿って二つ配列され、第二収納部群Ｘ２および第四収納部群Ｘ４の間に位置する第三収納部群Ｘ３は、装置収納部１２４が一つ配列されている。
【００４９】
また、第二収納部群Ｘ２および第四収納部群Ｘ４の各装置収納部１２４は、上下方向に沿う位置が第一収納部群Ｘ１および第五収納部群Ｘ５の各装置収納部１２４と互いに異なっている。図示の例において、第二収納部群Ｘ２および第四収納部群Ｘ４の各装置収納部１２４は、第一収納部群Ｘ１および第五収納部群Ｘ５の各装置収納部１２４間に位置している。また、第三収納部群Ｘ３の装置収納部１２４は、第二収納部群Ｘ２および第四収納部群Ｘ４の各装置収納部１２４間に位置している。したがって、上下方向Ｌにおいて、所望の位置に装置本体２０を保持させることができる。
【００５０】
第一収納部群Ｘ１〜第五収納部群Ｘ５の幅寸法Ｗ４は、装置本体２０の長手方向の寸法Ｗ２（図１０参照）と同程度とされている。
また、各装置収納部１２４の幅寸法Ｗ５は、装置本体２０の長手方向の寸法Ｗ２よりも狭く、さらに上述した第三実施形態の装置収納部１２３（図８参照）の幅よりも狭くなっている。
【００５１】
ここで、装置本体２０には、第一収納部群Ｘ１〜第五収納部群Ｘ５の装置収納部１２４の幅と同等の幅を有する溝２９が、第一収納部群Ｘ１〜第五収納部群Ｘ５と同等のピッチで形成されている。
これにより、収納空間Ｋ内に装置本体２０を収納したときに、装置収納部１２４が溝２９に嵌まり込むので、装置本体２０を装置収納部１２４により確実に保持することができる。
【００５２】
（第五実施形態）
図１２は、本発明の第五実施形態における衣類を示す正面図である。図１３は、図１２の衣類の装置収納部に心拍計測装置を保持させる前の状態を示す斜視図である。図１４は、図１２の衣類の装置収納部に心拍計測装置を保持させた状態を示す斜視図である。
図１２から図１４に示すように、衣類１００Ｅは、例えばシャツである衣類本体１０１と、衣類本体１０１に設けられ、上記心拍計測装置１０を着脱可能に保持する装置収納部１２５と、を備えている。
【００５３】
装置収納部１２５は、衣類本体１０１の身幅方向Ｗに複数列並んでいる。具体的に、正面視でＶ字状に配置された第一収納部群Ｘ１および第二収納部群Ｘ２は、装置収納部１２５が上下方向Ｌに対して傾斜するように三つ配列される。また、第一収納部群Ｘ１の装置収納部１２５と、第二収納部群Ｘ２の装置収納部１２５との離間距離は、衣類本体１０１の上方から下方に向かうにしたがい、漸次小さくなっている。
【００５４】
また、第一収納部群Ｘ１および第二収納部群Ｘ２の内側においてそれぞれ隣接する第三収納部群Ｘ３および第四収納部群Ｘ４は、装置収納部１２５が第一収納部群Ｘ１および第二収納部群Ｘ２の上下方向Ｌにおける中間部よりも上方にそれぞれ一つ配列される。また、第一収納部群Ｘ１および第二収納部群Ｘ２の外側においてそれぞれ隣接する第五収納部群Ｘ５および第六収納部群Ｘ６は、装置収納部１２５が第一収納部群Ｘ１および第二収納部群Ｘ２の上下方向Ｌにおける中間部よりも下方にそれぞれ一つ配列されている。
第三収納部群Ｘ３および第四収納部群Ｘ４の各装置収納部１２５は、上下方向に沿う位置が第一収納部群Ｘ１および第二収納部群Ｘ２の各装置収納部１２５と互いに異なっている。図示の例において、第三収納部群Ｘ３および第四収納部群Ｘ４の各装置収納部１２５は、第一収納部群Ｘ１および第二収納部群Ｘ２の各装置収納部１２５間に位置している。また、第五収納部群Ｘ５および第六収納部群Ｘ６の装置収納部１２５は、それぞれ第一収納部群Ｘ１および第二収納部群Ｘ２の各装置収納部１２５間に位置している。したがって、上下方向Ｌにおいて、所望の位置に装置本体２０を保持させることができる。
【００５５】
図１４に示すように、装置本体２０は、第一収納部群Ｘ１および第二収納部群Ｘ２の装置収納部１２５，１２５の間を架け渡すように、一対の装置収納部１２５，１２５により収納される。したがって、装置収納部１２５は、装置本体２０を確実に保持することができる。
さらに、衣類１００Ｅを着用した使用者Ｓが、例えば上半身をねじるような動きをすると、衣類本体１０１の下部が身幅方向Ｗに開くように変形することがある。これに対して、本実施形態によれば、第一収納部群Ｘ１の装置収納部１２５と、第二収納部群Ｘ２の装置収納部１２５との離間距離は、衣類本体１０１の上方から下方に向かうにしたがい、漸次小さくなっている。これにより、下方の装置収納部１２５は、身幅方向Ｗにおける離間距離が狭いので、衣類本体１０１の下部が身幅方向Ｗに開いても、装置本体２０の長手方向における両端部を確実に保持し、装置収納部１２５から脱落するのを防ぐことができる。
【００５６】
（第六実施形態）
図１５は、本発明の第六実施形態における衣類の装置収納部を示す側断面図である。
図１５に示すように、衣類１００Ｆは、例えばシャツである衣類本体１０１と、衣類本体１０１に設けられ、心拍計測装置１０を着脱可能に保持する複数（本実施形態においては三つ）の装置収納部１２６（１２６Ａ〜１２６Ｃ）と、を備えている。
【００５７】
三つの装置収納部１２６Ａ〜１２６Ｃは、側断面視すると鎖状をなすように連結されている。装置収納部１２６Ａ〜１２６Ｃのそれぞれは、衣類本体１０１の身幅方向Ｗに沿って連続する筒状をなしている。装置収納部１２６Ａ〜１２６Ｃのうち、一端側の装置収納部１２６Ａは、衣類本体１０１の裏面１０１ｆに上端縁が固定されている。また、他端側に位置する装置収納部１２６Ｃは、一端側に位置する装置収納部１２６Ａを起点に回動可能に構成されている。
また、装置収納部１２６Ｂおよび装置収納部１２６Ｃの表面と、衣類本体１０１とには、それぞれ互いに係合可能な不図示の面ファスナが設けられている。これにより、装置収納部１２６Ｂおよび装置収納部１２６Ｃは、衣類本体１０１の裏面１０１ｆに対して着脱可能となっている。
【００５８】
図１６は、図１５の衣類の装置収納部による装置本体の保持位置の複数の例を示す側断面図である。
このように連設された装置収納部１２６Ａ〜１２６Ｃは、例えば、図１６（ａ）に示すように、一端側の装置収納部１２６Ａに装置本体２０を保持することができる。また、図１６（ｂ）に示すように、鎖状に連接された装置収納部１２６Ａ〜１２６Ｃを、一端側から下方に垂れ下げた状態で、中間部の装置収納部１２６Ｂに装置本体２０を保持することもできる。また、図１６（ｃ）に示すように、装置収納部１２６Ａ〜１２６Ｃを、一端側の装置収納部１２６Ａから下方に垂れ下げた状態で、他端側の装置収納部１２６Ｃに装置本体２０を保持することもできる。また、図１６（ｄ）に示すように、連設された装置収納部１２６Ａ〜１２６Ｃを上方に上げた状態で、中間部の装置収納部１２６Ｂに装置本体２０を保持することもできる。さらに、図示しないが、連設された装置収納部１２６Ａ〜１２６Ｃを上方に上げた状態で、他端側の装置収納部１２６Ｃに装置本体２０を保持することもできる。
【００５９】
本実施形態によれば、他端側に位置する装置収納部１２６Ｃは、一端側に位置する装置収納部１２６Ａを起点に回動可能に構成されているので、中間部の装置収納部１２６Ｂおよび他端側の装置収納部１２６Ｃを、上下に自在に配置することができる。これにより、装置本体２０の上下方向の位置を、より幅広く調整することが可能となる。
【００６０】
（第七実施形態）
図１７は、本発明の第七実施形態における衣類の装置収納部に心拍計測装置を保持させる前の状態を示す斜視図である。図１８は、図１７の衣類の装置収納部に心拍計測装置を保持させた状態を示す斜視図である。
図１７および図１８に示すように、衣類１００Ｇは、例えばシャツである衣類本体１０１と、衣類本体１０１に設けられ、心拍計測装置１０を着脱可能に保持する装置収納部１２７と、を備えている。
【００６１】
本実施形態において、装置収納部１２７は、衣類本体１０１の表面１０１ｇ側に配置されている。装置収納部１２７は、例えば、第二実施形態と同様に、衣類本体１０１の上下方向に沿って三つ配列されている。
また、衣類本体１０１には、各装置収納部１２７の身幅方向Ｗにおける両側に、それぞれ、スリット１３０が形成されている。スリット１３０は、衣類本体１０１の表面１０１ｇ側から裏面１０１ｆ側に向かって電極２６Ａ，２６Ｂを貫通させて、衣類本体１０１の裏面１０１ｆ側に引き出している。
【００６２】
本実施形態によれば、装置収納部１２７を衣類１００Ｇの表面１０１ｇ側に配置した場合であっても、スリット１３０を通して電極２６Ａ，２６Ｂを衣類１００Ｇの裏面１０１ｆに引き出し、使用者Ｓの身体の表面に接触させることができる。本実施形態におけるスリット１３０は、他の実施形態の構成と組み合わせることも可能である。
【００６３】
なお、本発明は、図面を参照して説明した上述の各実施形態に限定されるものではなく、その技術的範囲において様々な変形例が考えられる。
例えば、装置本体２０の外形形状は、装置本体２０の構成については、何ら限定するものではない。例えば、装置本体２０の外形形状は、略長方形状に限らず、各種多角形状や楕円状等、その他さまざまな外形形状とすることができる。
また、各実施形態における装置収納部１２０，１２２〜１２７の素材は、衣類本体１０１と別素材であっても構わない。したがって、例えば、ゴム系素材や、ジャージ素材等をはじめとする、面方向に沿って伸縮性を有する素材を用いてもよい。
【００６４】
また、衣類本体１０１として、シャツを例示したが、これに限らず、ズボンや帽子等、衣類全般に本発明は適用可能である。
【００６５】
その他、本発明の趣旨を逸脱しない範囲で、上記した実施の形態における構成要素を周知の構成要素に置き換えることは適宜可能である。
【符号の説明】
【００６６】
１０・・・心拍計測装置（生体情報検出装置）  ２０・・・装置本体  ２６Ａ，２６Ｂ・・・電極（電極部）  １００Ａ〜１００Ｇ・・・衣類  １０１・・・衣類本体  １０１ｆ・・・裏面  １０１ｇ・・・表面  １２０，１２２〜１２６（１２６Ａ，１２６Ｂ，１２６Ｃ），１２７・・・装置収納部  １３０・・・スリット  Ｌ・・・上下方向（第一方向）  Ｓ・・・使用者  Ｗ・・・身幅方向（第二方向）  Ｘ１〜Ｘ６・・・第一〜第六収納部群（収納部群）
【図１】
2015083728.tif 000003
【図２】
2015083728.tif 000004
【図３】
2015083728.tif 000005
【図４】
2015083728.tif 000006
【図５】
2015083728.tif 000007
【図６】
2015083728.tif 000008
【図７】
2015083728.tif 000009
【図８】
2015083728.tif 000010
【図９】
2015083728.tif 000011
【図１０】
2015083728.tif 000012
【図１１】
2015083728.tif 000013
【図１２】
2015083728.tif 000014
【図１３】
2015083728.tif 000015
【図１４】
2015083728.tif 000016
【図１５】
2015083728.tif 000017
【図１６】
2015083728.tif 000018
【図１７】
2015083728.tif 000019
【図１８】
2015083728.tif 000020